(57)【特許請求の範囲】
【請求項１】
映像及び音声を所定方式で圧縮して送信する放送送信設備と、放送送信設備から送信された映像及び音声を受信及び復元して映像表示装置及び音声出力装置へ出力する放送受信器とを含む放送システムでのインターネット上のウェブ・ページの閲覧方法であって、
インターネットから放送送信設備へ転送されたウェブ・ページを前記放送送信設備で映像に変換するステップと、
前記映像を前記放送送信設備において前記所定方式で圧縮して前記放送受信器に送信するステップと、
圧縮されたウェブ・ページの映像を放送受信器で受信及び復元して映像表示装置へ出力するステップと
を含むウェブ閲覧方法。
【請求項２】
前記ウェブ・ページを映像に変換するステップが、前記ウェブ・ページに設定されていたリンクに基づいて、前記映像上にリンクを設定するステップを含み、
前記映像を前記所定方式で圧縮して送信するステップが、圧縮された映像と共に前記映像上に設定されたリンクを送信するステップを含む請求項１のウェブ閲覧方法。
【請求項３】
前記映像上に設定されるリンクが、
前記ウェブ・ページに設定されていたリンクの関連付け先と、
前記ウェブ・ページに設定されていたリンクの前記映像上の位置情報と
を含む請求項２のウェブ閲覧方法。
【請求項４】
前記ウェブ・ページの映像を受信及び復元して映像表示装置へ出力するステップが、
受信した映像を復元して映像表示装置に出力するステップと、
受信した映像上に設定されたリンクと、映像表示装置に出力された映像上のカーソル位置とを関連付けるステップと
を含む請求項１乃至請求項３のいずれかのウェブ閲覧方法。
【請求項５】
前記ウェブ・ページが音声を含み、前記映像に音声が含まれている請求項１乃至請求項４のいずれかのウェブ閲覧方法。
【請求項６】
前記映像表示装置に出力された映像上に設定されたリンクのいずれかが選択されると、選択されたリンクの情報を放送送信設備に送信するステップと、
選択されたリンクに関連付けられたウェブ・ページをインターネットから放送送信設備に転送するステップと
を含む請求項４又は請求項５のいずれかのウェブ閲覧方法。
【請求項７】
前記圧縮の方式がＭＰＥＧ２方式である請求項１乃至請求項６のいずれかのウェブ閲覧方法。
【請求項８】
映像及び音声を所定方式で圧縮して送信する放送送信設備と、放送送信設備から送信された映像及び音声を受信及び復元して映像表示装置及び音声出力装置へ出力する放送受信器とを含む放送システムであって、
放送送信設備が、
インターネットに接続され、インターネットから転送されたウェブ・ページを映像に変換して出力すると共に、前記ウェブ・ページに設定されているリンクに基づいて前記映像上にリンクを設定する手段と、
出力された映像を前記所定方式で圧縮する手段と、
圧縮された映像と映像上に設定されたリンクを送信する手段と
を含み、
放送受信器が、
受信した映像を映像表示装置に出力する手段と、
受信した映像上に設定されたリンクと、映像表示装置に出力された映像上のカーソル位置とを関連付ける手段と
を含む放送システム。
【請求項９】
前記映像上に設定されるリンクが、
前記ウェブ・ページに設定されていたリンクの関連付け先と、
前記ウェブ・ページに設定されていたリンクの前記映像上の位置情報と
を含む請求項８の放送システム。
【請求項１０】
放送受信器が、
前記映像表示装置に出力された映像上に設定されたリンクを選択する手段と、
選択されたリンクの情報を放送送信設備に送信する手段と
を含む請求項８又は請求項９の放送システム。
【請求項１１】
前記ウェブ・ページが音声を含み、前記映像に音声が含まれている請求項８乃至請求項１０のいずれかの放送システム。
【請求項１２】
前記圧縮の方式がＭＰＥＧ２方式である請求項８乃至請求項１１のいずれかの放送システム。
【発明の詳細な説明】
【０００１】
【発明の属する技術分野】
本発明は、放送システム及び放送システムを使用したウェブ閲覧方法に関する。
【０００２】
【従来の技術】
現在、ＣＳ(通信衛星：Communications Satellite)放送，ケーブル放送，インターネット放送等のデジタル放送が行われている。これらデジタル放送を受信する受信器として、例えばＳＴＢ(Set Top Box)が使用されている。ＳＴＢは、テレビにつないで使用する機器で、映像信号の受信・変換機能や、電話回線やパソコンと接続するための接続インターフェイス等を備えている。
【０００３】
図５に、デジタル放送の送信設備１０と受信端末２０の概略を示す。放送設備１０から受信端末２０に、映像，音声，コンピュータ・プログラム，ＥＰＧ(電子番組案内：Electornic Program Guide)等が多重化されたデータ(MPEG2-TS)が送信される。送信設備１０は、主に映像と音声を圧縮するビデオ・サーバ１４と、汎用コンピュータであるアプリケーション・サーバ１２とを含む。受信端末２０は、デジタル放送を受信するＳＴＢ２２と、映像出力装置及び音声出力装置を備えたテレビ２４とを含む。ＳＴＢ２２はテレビ２４に内蔵されている場合もある。
【０００４】
図６(ａ)に示すように、ビデオ・サーバ１４は、音声データ(Audio1,2,3,4)と映像データ(Video1,2,3,4)を含む映像・音声データ１,２,３,４をＭＰＥＧ(Motion Pictures Expert Group)２方式で圧縮するＭＰＥＧ２エンコーダ３０と、ＭＰＥＧ２形式の映像・音声データ１,２,３,４とＥＰＧ等を多重化するマルチプレクサ３２と、マルチプレクサ３２で多重化されたデータ(MPEG2-TS)を送信する送信器３４とを含む。送信設備１０から送信されるデータ(MPEG2-TS)の概要を図６(ｂ)に示す。図６(ｂ)では、同一周波数帯域に複数のＭＰＥＧ２データが時分割で含まれている。
【０００５】
図７に示すように、ＳＴＢ２２は、送信設備１０から送られるデータ(MPEG2-TS)を受信する受信器４０と、受信したデータ(MPEG2-TS)に多重化されている各データを分離するデマルチプレクサ４２と、ＭＰＥＧ２方式で圧縮された映像と音声をデコードするＭＰＥＧ２デコーダ４４と、デコードされた映像データをテレビ出力用のビデオ信号に変換するビデオ・エンコーダ４６と、ＳＴＢ２２を操作する入力装置５２と、電話回線等の通信回線を介して送信設備１０と通信を行う通信装置４８と、これらＳＴＢ２２内のデバイスを制御するＭＰＵ(Microprocessor Unit)５０とを含む。
【０００６】
受信器４０は、例えばＣＳ(通信衛星)放送の場合はパラボラ・アンテナを用いてデジタル放送を受信する。受信したデータ(MPEG2-TS)は、複数のデータが多重化されているので、デマルチプレクサ４２で分離される。分離されたデータの内、ＭＰＥＧ２形式の映像・音声データはＭＰＥＧ２デコーダ４４に送られ、ＥＰＧはＭＰＵ５０へ送られる。映像・音声データはＭＰＥＧ２デコーダ４４でデコードされる。デコードされた音声データは増幅器(図示していない)で音量調整を行う等した後、例えばテレビ２４に内蔵されたスピーカへ出力される。デコードされた映像データはビデオ・エンコーダ４６でテレビ表示用のビデオ信号に変換された後、テレビ２４へ出力される。
【０００７】
ＭＰＵ５０に送られたＥＰＧは、メモリ(図示していない)に記憶される。入力装置５２は、例えば視聴する番組の選択，ＥＰＧ(電子番組案内)の表示切り換え等の操作に使用する。例えば入力装置５２上の操作スイッチを押すと、そのスイッチが押されたことを示す操作入力情報が、ＭＰＵ５０に入力される。例えば視聴する番組の選択操作が行われた場合、ＭＰＵ５０は、デマルチプレクサ４２からＭＰＥＧ２エンコーダ４４に送られるＭＰＥＧ２データを、前記操作で選択された番組のものに変更する。例えば入力装置５２でＥＰＧの表示操作が行われた場合、ＭＰＵ５０は、ＥＰＧをビデオ・エンコーダ４６に送り、テレビ表示用のビデオ信号に変換して、テレビ２４に表示させる。ＭＰＵ５０は、視聴した番組等が記録された視聴番組情報を通信装置４８を介して送信設備１０に送る。視聴番組情報を受け取ったアプリケーション・サーバ１２は、視聴番組情報に基づいて例えば視聴料等の計算を行う。
【０００８】
近年では、デジタル放送の受信だけではなく、インターネットのウェブ・ページを閲覧する機能が追加されたＳＴＢが増えてきている。図８に、インターネット１６とデジタル放送の送信設備１０及び受信端末２０の接続の概略を示す。放送設備１０を介してインターネット１６から受信端末２０に、ウェブ・データが送信される。ウェブ・データは、ＨＴＭＬ(Hyper Text Markup Language)ファイル，画像ファイル，音声ファイル等のウェブ・ページを構成するデータを含む。画像ファイルは静止画はもちろん動画も含む。
【０００９】
図９(ａ)にウェブ・ページ６０の一例を示す。ウェブ・ページ６０は、画像６２と文字６４とリンク７０,７２,７４を含む。リンク７０,７２,７４は他のウェブ・ページ等と関連付けされている。リンクは、図９(ｂ)の斜線部分で示すように、所定の領域８２,８４,８６内に設定されている。ウェブ・ページに設定されたリンク７０,７２,７４のいずれかをユーザーが選択すると、選択したリンクに関連付けされているウェブ・ページを閲覧することができる。
【００１０】
インターネット１６からアプリケーション・サーバ１２に送られてきたウェブ・データは、図１０(ａ)に示すように、ビデオ・サーバ１４のマルチプレクサ３２に入力されて、ＥＰＧ等と同様にＭＰＥＧ２データ等と多重化されて送信される。送信されるデータ(MPEG2-TS)の一例を図１０(ｂ)に示す。図１０(ｂ)ではある周波数帯域に時分割で含まれるデータを示している。
【００１１】
ＳＴＢ２２は、図１１に示すように、送信設備１０から送られるデータ(MPEG2-TS)を受信し、ウェブ・データをデマルチプレクサ４２で分離した後、ＭＰＵ５０に送る。ＭＰＵ５０は、ウェブ・ブラウザ(ウェブ閲覧ソフト)を起動し、ウェブ・ページの映像出力をビデオ・エンコーダ４６を介してテレビ２４へ送る。図１２(ａ)に示すウェブ・ブラウザによって出力される映像８０はビデオ・エンコーダ４６でテレビ表示用のビデオ信号に変換した後にテレビ２４へ出力される。音声データは増幅器(図示していない)で音量調整等の調整を行った後にテレビ２４へ出力される。
【００１２】
入力装置５２は、例えばテレビ２４に表示された図１２(ｂ)に示すカーソル７６を移動させて、カーソル７６をリンクに重ねた状態で決定ボタンを押して、そのリンクを選択する等の操作に使用できる。このカーソル７６でリンクを選択する機能はウェブ・ブラウザに含まれており、ＭＰＵ５０で処理される。ＭＰＵ５０は、選択されたリンクを示す選択リンク情報を通信装置４８を介して送信設備１０に送る。受信端末２０からの選択リンク情報を受け取ったアプリケーション・サーバ１２は、このリンクに関連付けられたウェブ・ページの転送をインターネット１６へ要求する。要求したウェブ・ページがインターネット１６から転送されてくると、アプリケーション・サーバ１２は、上述した説明と同様にそのウェブ・ページを受信端末２０に送信する。
【００１３】
以上説明したように、ＳＴＢを使用してウェブを閲覧することは可能であるが、ウェブ・ブラウザの作動にはデジタル放送視聴時よりも高速なＭＰＵ及び容量の大きなメモリが必要になる。しかも、各種ＳＴＢに使用されているＭＰＵ,ＯＳ(Operating System)に互換性があまり無いため、ウェブ・ブラウザはＳＴＢごとに異なる場合が多い。同じウェブ・ブラウザでも、プラグイン・ソフト等の機能拡張ソフトの追加等により機能が異なる場合もある。ウェブ・ブラウザの違いにより、正しくウェブ・ページを表示できない場合がある。
【００１４】
【発明が解決しようとする課題】
本発明の目的は、ウェブ・ブラウザを使用せずにウェブ・ページの閲覧を行うことにある。
【００１５】
【課題を解決するための手段】
本発明のデジタル放送システムは、(ａ)インターネットに接続され、インターネットから転送されたウェブ・ページを映像に変換して出力すると共に、前記ウェブ・ページに設定されているリンクに基づいて前記映像上にリンクを設定する手段と、出力された映像を所定方式で圧縮する手段と、圧縮された映像と映像上に設定されたリンクを送信する手段とを含む放送送信設備と、(ｂ)受信した映像を映像表示装置に出力する手段と、受信した映像上に設定されたリンクと、映像表示装置に出力された映像上のカーソル位置とを関連付ける手段を含む放送受信器とを含む。
【００１６】
本発明のデジタル放送システムでのウェブ閲覧方法は、インターネットから放送送信設備へ転送されたウェブ・ページの映像出力を所定方式で圧縮して送信するステップと、圧縮されたウェブ・ページの映像を放送受信器で受信及び復元して映像表示装置へ出力するステップとを含む。ウェブ・ページの映像出力を所定方式で圧縮して送信するステップは、転送されたウェブ・ページを映像に変換して出力するステップと、出力された映像を所定方式で圧縮するステップと、ウェブ・ページに設定されていたリンクに基づいて前記映像上にリンクを設定するステップと、圧縮された映像と映像上に設定されたリンクとを送信するステップとを含む。ウェブ・ページの映像を映像表示装置へ出力するステップは、受信した映像を復元して映像表示装置に出力するステップと、受信した映像上に設定されたリンクと、映像表示装置に出力された映像上のカーソル位置とを関連付けるステップとを含む。
【００１７】
【発明の実施の形態】
次に、本発明に係るデジタル放送システム及びデジタル放送システムでのウェブ閲覧方法の実施の形態について、図面に基づいて詳しく説明する。本説明では、図１に示すように、放送システムに含まれる送信設備１０及び受信端末２０は従来(図８)と同様である。
【００１８】
本発明に係る図１の送信設備１０のアプリケーション・サーバ１２は、インターネット１６から転送された例えば図９(ａ)のウェブ・ページ６０を図１２(ａ)の映像８０に変換して出力すると共に、ウェブ・ページ６０に設定されているリンク７０,７２,７４に基づいて、映像８０上にリンクを設定する。
【００１９】
ウェブ・ページ６０の映像出力は、例えばアプリケーション・サーバ１２上でウェブ・ブラウザを起動し、ディスプレイ画面に出力する場合と同様に映像８０を出力する。出力された映像８０は、図２(ａ)に示すように、送信設備１０のビデオ・サーバ１４のＭＰＥＧ２エンコーダ０に入力され、従来の映像・音声データ１,２,３,４と同様に圧縮される。
【００２０】
映像８０上のリンク設定は、例えばウェブ・ページ６０の図９(ｂ)中の斜線で示す領域８２,８４,８６にリンクが設定されていた場合、図３(ａ)に示すようにその領域８２,８４,８６の輪郭座標をアプリケーション・サーバ１２で抽出する。
【００２１】
リンクが設定される領域は、矩形等の単純な幾何学図形のものが多い。特に文字上に設定されたリンク領域は矩形と見なすことができる。矩形の領域であれば、４つの頂点の座標で領域を示すことができる。矢印等のやや複雑な形状の領域の場合は、領域外周の頂点座標を抽出する。楕円等の複雑な形状の領域は、図３(ｂ)に示すように、外接する矩形８４をリンク領域と見なすこともできる。リンクの領域設定の多くはＨＴＭＬファイル内に記述されているので、ＨＴＭＬファイルに基づいてリンク領域を抽出することができる。
【００２２】
リンクの設定された各領域８２,８４,８６には、他のウェブ・ページ等が関連付けされている。アプリケーション・サーバ１２は、上述した領域８２,８４,８６を示す座標を抽出すると共に、その領域８２,８４,８６に関連付けされているウェブ・ページのアドレス等のリンク先も含めたリンク情報を生成する。ウェブ・ページ内の全リンク領域について、領域を示す座標とその領域に関連付けされたリンク先とからなるリンク情報を生成する。リンク情報は、ＨＴＭＬファイル内に記述されているリンク設定に基づいて行う。リンク情報は、ビデオ・サーバ１４のマルチプレクサ３２に送られる。
【００２３】
本発明に係る図１の受信端末２０は、映像８０をテレビ２４に出力する。図４に示すＳＴＢ２２のＭＰＵ５０は、受信した映像８０のリンク情報と、テレビ２４に出力された映像８０上のカーソル７６位置との関連付けを行う。具体的には、カーソル７６の位置座標とリンク領域８２,８４,８６に含まれる座標との比較を行う。
【００２４】
例えば図３(ｃ)に示すように、カーソル７６の座標Ｐ(Ｘ,Ｙ)がリンクが設定された領域８２,８４,８６内に位置しているか否かを判定する。ＭＰＵ５０は、カーソル７６の座標Ｐ(Ｘ,Ｙ)がリンク領域８２,８４,８６内に位置していると判断すると、例えばカーソル７６の形状を変化させる等して、利用者にカーソル７６がリンク部分に位置していることを知らせる。従来のウェブ・ブラウザを使用していた場合と同様に、入力装置５２でカーソル７６を操作してリンクの選択を行うことができる。
【００２５】
次に、このようなデジタル放送システムを用いたウェブ閲覧方法について、その作用を説明する。
【００２６】
インターネット１６からアプリケーション・サーバ１２にウェブ・ページ６０が転送されると、アプリケーション・サーバ１２は、ウェブ・ページ６０の映像出力(８０)をビデオ・サーバ１４へ送る。ウェブ・ページ６０に音声が付加されている場合、アプリケーション・サーバ１２は、音声もビデオ・サーバ１４へ出力する。映像と音声は、ビデオ・サーバ１４のＭＰＥＧ２エンコーダ０へ入力される。ＭＰＥＧ２エンコーダ０は、通常の映像(Video1,2,3,4)と音声(Audio1,2,3,4)の圧縮と同様に、ウェブ・ページの映像８０と音声をＭＰＥＧ２方式で圧縮する。
【００２７】
アプリケーション・サーバ１２は、ウェブ・ページ６０の映像８０を出力する際に、ウェブ・ページ６０に設定されていたリンク７０,７２,７４に基づいて映像８０上のリンク領域８２,８４,８６を抽出し、ウェブ・ページ６０に設定されていたリンク７０,７２,７４の各リンク先と映像８０上の各リンク領域８２,８４,８６とを組み合わせたリンク情報を生成する。
【００２８】
リンク情報とＭＰＥＧ２方式で圧縮されたウェブ・ページの映像８０とは、マルチプレクサ３２で他のＭＰＥＧ２データやＥＰＧ等と同様に多重化され、送信器３４から送信される。送信されるデータ(MPEG2-TS)の一例を図２(ｂ)に示す。
【００２９】
ウェブ・ページ６０は、映像８０に変換された後にＭＰＥＧ２方式に圧縮されるので、図１０(ａ)に示した従来のウェブ・データ(ＨＴＭＬファイル,画像ファイル,音声ファイル)を送信する場合に比べ、ファイル容量が少なくなるので高速な転送が可能となる。
【００３０】
図２(ｂ)に示したデータMPEG2-TSは、従来と同様にＳＴＢ２２の受信器４０で受信され、デマルチプレクサ４２に送られる。図４に示すように、デマルチプレクサ４２は、ウェブ・ページの映像８０及び音声をＭＰＥＧ２デコーダ４４に送ると共に、リンク情報をＭＰＵ５０に送る。ＭＰＥＧ２デコーダ４４でデコードされた映像８０と音声は、従来と同様にテレビ２４に出力される。テレビ２４には、図１２(ａ)に示した映像８０が表示される。図１２(ｂ)に示すように、入力装置５２で従来と同様に操作されるカーソル７６も表示される。
【００３１】
ウェブ・ページ６０は、送信設備１０で映像８０に変換した後ＭＰＥＧ２方式で圧縮されているので、ＭＰＥＧ２デコーダ４４で再生できる。ウェブ・ページの表示にＭＰＥＧ２デコーダ４４を使用しているので、ウェブ・ブラウザを使用する必要は無い。ウェブ・ブラウザを使用しないので、従来のように高速なＭＰＵや容量の大きなメモリは必要ない。ウェブ・ブラウザを使用していないので、ＳＴＢが内蔵するＭＰＵ，ＯＳの種類やブラウザ・ソフトの種類から生じる互換性の問題の影響を受けずにウェブ・ページを閲覧することができる。
【００３２】
ウェブ・ページ上のリンクの選択も、図３(ｃ)に示すようにカーソル７６の位置とリンク領域８２,８４,８６の座標比較をＭＰＵ５０で行うことにより、従来と同様に行うことができる。
【００３３】
利用者が入力装置５２でカーソル７６を操作してリンクを選択すると、選択されたリンクの情報が通信装置４８を介して送信設備１０に送られる。送信設備１０のアプリケーション・サーバ１２は、選択されたリンクに関連付けされたウェブ・ページの転送をインターネット１６に要求する。要求したウェブ・ページがインターネット１６からアプリケーション・サーバ１２に転送されてくると、上述した説明と同様に、送信設備１０から受信端末２０へ送信される。
【００３４】
以上、本発明の一実施例について説明したが、本発明はその他の態様でも実施し得るものである。例えば、デジタル放送に限定はされず、アナログ放送でのウェブ・ページの閲覧に、本発明を用いることもできる。ウェブ・ページは、音声だけを含む場合や、映像だけを含む場合等もある。ウェブ・ページの閲覧に限定はされず、電子メールの閲覧等を行うこともできる。
【００３５】
圧縮方式はＭＰＥＧ２形式に限定はされず、任意の圧縮方式を用いることができる。放送システムは、テレビ番組の放送に限定はされず、映画配信や音楽配信等の映像又は／及び音声を送受信する任意の双方向通信システムも含まれる。衛星放送等の無線通信に限定はされず、ケーブル放送等の有線通信に本発明を用いることもできる。
【００３６】
テレビの全表示画面にウェブ・ページを表示せずに、表示画面の一部にウェブ・ページを表示することもできる。テレビ会議システムに本発明を用いて、ＨＴＭＬファイルを共通の資料として使用することもできる。
【００３７】
以上、本発明は特定の実施例について説明されたが、本発明はこれらに限定されるものではない。その他、本発明はその趣旨を逸脱しない範囲で当業者の知識に基づき種々なる改良，修正，変形を加えた態様で実施できるものである。
【００３８】
【発明の効果】
本発明の放送システムは、放送送信設備でウェブ・ページを映像に変換し、変換した映像をＭＰＥＧ２エンコーダで圧縮して受信端末に送信する。受信端末は、ＭＰＥＧ２デコーダでウェブ・ページの映像を再生する。ＭＰＥＧ２エンコーダを使用してウェブ・ページを表示するので、ウェブ・ブラウザを使用せずにウェブ・ページを閲覧することができる。ウェブ・ブラウザの起動のための高速なＭＰＵや容量の大きなメモリは必要ない。
【００３９】
本発明のデジタル放送システムでのウェブ閲覧方法は、ウェブ・ページの映像出力をＭＰＥＧ２方式で圧縮して送信する。ＭＰＥＧ２方式で圧縮されたウェブ・ページは、ＭＰＥＧ２デコーダで再生できる。ＭＰＥＧ２デコーダを使用してウェブ・ページを表示するので、ウェブ・ブラウザを使用せずにウェブ・ページを閲覧することができる。ウェブ・ブラウザの起動のための高速なＭＰＵや容量の大きなメモリは必要ない。
【図面の簡単な説明】
【図１】本発明に係るインターネットと接続された送信設備と受信端末を含む放送システムの一例を示すブロック図である。
【図２】図(ａ)は図１に示す送信設備のビデオ・サーバの一構成例を示すブロック図であり、図(ｂ)は図(ａ)に示すＭＰＥＧ２−ＴＳの一例を示す図である。
【図３】図(ａ)はリンク情報の一例を示す図であり、図(ｂ)はリンク領域設定の他の例を示す図であり、図(ｃ)はＳＴＢ内のＭＰＵでのカーソルとリンク領域との関連付けの概要を示す図である。
【図４】図１に示す受信端末のＳＴＢ(セット・トップ・ボックス)の一構成例を示すブロック図である。
【図５】送信設備から受信端末へのデジタル放送送信の概要を説明するブロック図である。
【図６】図(ａ)は図５に示す送信設備のビデオ・サーバの一構成例を示すブロック図であり、図(ｂ)は図(ａ)に示すＭＰＥＧ２−ＴＳの一例を示す図である。
【図７】図５に示す受信端末のＳＴＢ(セット・トップ・ボックス)の一構成例を示すブロック図である。
【図８】送信設備を介してインターネットと接続された受信端末の概要を説明するブロック図である。
【図９】図(ａ)はウェブ・ページの一例を示す図であり、図(ｂ)は図(ａ)のウェブ・ページに設定されたリンク領域を示す図である。
【図１０】図(ａ)は図８に示す送信設備のビデオ・サーバの従来例を示すブロック図であり、図(ｂ)は図(ａ)に示すＭＰＥＧ２−ＴＳの一例を示す図である。
【図１１】図８に示す受信端末のＳＴＢ(セット・トップ・ボックス)の従来例を示すブロック図である。
【図１２】図(ａ)はＳＴＢのＭＰＵから出力される映像の一例を示す図であり、図(ｂ)はＳＴＢから出力されるビデオ出力の一例を示す図である。
【符号の説明】
１０：送信設備
１２：アプリケーション・サーバ
１４：ビデオ・サーバ
１６：インターネット
２０：受信端末
２２：ＳＴＢ(セット・トップ・ボックス)
２４：テレビ
３０：ＭＰＥＧ２エンコーダ
３２：マルチプレクサ
３４：送信器
４０：受信器
４２：デマルチプレクサ
４４：ＭＰＥＧ２デコーダ
４６：ビデオ・エンコーダ
４８：通信装置
５０：ＭＰＵ(マイクロプロセッサ・ユニット)
５２：入力装置
６０：ウェブ・ページ
６２：画像
６４：文字
７０，７２，７４：リンクが設定されている画像
７６：カーソル
８０：画像に変換されたウェブ・ページ
８２，８４，８６：リンクが設定されている領域
【図１】
0003672235.tif 000002
【図２】
0003672235.tif 000003
【図３】
0003672235.tif 000004
【図４】
0003672235.tif 000005
【図５】
0003672235.tif 000006
【図６】
0003672235.tif 000007
【図７】
0003672235.tif 000008
【図８】
0003672235.tif 000009
【図９】
0003672235.tif 000010
【図１０】
0003672235.tif 000011
【図１１】
0003672235.tif 000012
【図１２】
0003672235.tif 000013